(57)【特許請求の範囲】
【請求項１】
球レンズがその球面部の曲率中心を内部に有して一部が平面部とされた第１レンズ及び第２レンズと、第１内スリーブと、第２内スリーブと、光機能部品と、これら部品のうち少なくとも前記第１内スリーブ、第２内スリーブ及び光機能部品を収容する収容部材とを備え、前記第１内スリーブ及び前記第２内スリーブは、相互に対向するそれぞれの片端面の間に前記光機能部品が介装された状態で、前記収容部材の内周に同軸状にそれぞれ嵌合固定されており、前記第１レンズは、その平面部が収容部材の内周の中心軸に対して傾斜すると共に、その球面部が前記第１内スリーブの一端側開口縁部に当接した状態で前記第１内スリーブに固定され、前記第２レンズは、その平面部が前記第１レンズの平面部と相対称となるように傾斜すると共に、その球面部が前記第２内スリーブの他端側開口縁部に当接した状態で前記第２内スリーブに固定されているレンズアッセンブリを備え、
該レンズアッセンブリにおける前記第１内スリーブの前記第１レンズが固定されている側の端面、及び前記第２内スリーブの前記第２レンズが固定されている側の端面に、光ファイバが挿入固定された毛細管を保持した保持部材がそれぞれ固定され、前記第１レンズ及び前記第２レンズの球面部の曲率中心は、前記各光ファイバの光軸とそれぞれ直交する直線であって前記各平面部との傾斜角が最大になる直線に沿う方向において、それらの光ファイバの先端に対して入出射する光の主光線の通過エリア側に、前記各光軸からそれぞれオフセットしていることを特徴とする光デバイス。
【請求項２】
前記第１内スリーブ、前記第２内スリーブ及び前記光機能部品が、前記収容部材内で連接しているレンズアッセンブリを備えていることを特徴とする請求項１に記載の光デバイス。
【請求項３】
前記第１レンズ及び第２レンズのそれぞれ傾斜した平面部と対向した先端を有する光ファイバ及びそれが挿入固定された毛細管の先端を、前記第１レンズ及び第２レンズのそれぞれの平面部の傾斜に倣って傾斜させたことを特徴とする請求項１または２に記載の光デバイス。
【請求項４】
前記２つの毛細管のうち少なくとも一方の毛細管に挿入固定された光ファイバが１本であり、該光ファイバの先端と対向する平面部を有する第１レンズ及び第２レンズのうち少なくとも一方のレンズは、該光ファイバに対して入出射する光の主光線が該レンズの球面部の曲率中心を通過するように構成されていることを特徴とする請求項１〜３の何れかに記載の光デバイス。
【請求項５】
前記２つの毛細管のうち少なくとも一方の毛細管に挿入固定された光ファイバが複数本であり、それらの光ファイバの先端と空隙を介して対向する平面部を有する第１レンズ及び第２レンズのうち少なくとも一方のレンズは、それらの光ファイバに対して入出射する光の複数本の主光線が該レンズの球面部の曲率中心を基準としてその周囲を等角度間隔で近接して通過するように構成されていることを特徴とする請求項１〜３の何れかに記載の光デバイス。
【請求項６】
前記２つの保持部材のうち少なくとも一方の中心軸が前記収容部材の中心軸に対して、前記第１レンズ及び第２レンズの曲率中心のオフセットに対応して偏心していることを特徴とする請求項１〜５の何れかに記載の光デバイス。
【請求項７】
前記第１レンズ及び前記第２レンズが、球レンズの一部を平面部に加工して製作されたものであることを特徴とする請求項１〜６の何れかに記載の光デバイス。
【発明の詳細な説明】
【技術分野】
【０００１】
本発明は、光通信システムに用いられる光合分波器、光アイソレータ、光サーキュレータ、光スイッチ、光利得等価器等の光デバイス、及び、当該光デバイスに用いられるレンズアッセンブリに関する。
【背景技術】
【０００２】
この種の光デバイスとしては、光ファイバの端部が固定された毛細管とレンズとを共通のスリーブに接着剤等で固定した毛細管・レンズアッセンブリを２つ作製し、これらアッセンブリをレンズ同士が光機能部品（光学フィルタ、光アイソレータコア等）を介して対向するように収容部材（円筒部材や箱部材）の内部に接着剤等で固定したものが知られている（例えば下記の特許文献１〜４）。レンズは、光ファイバから出射された光を平行光にし、また、平行光を集光して光ファイバに入射させる機能を有するものである。レンズとしては、屈折率分布型の円柱状レンズ（いわゆるＧＲＩＮレンズ：一端は光軸と直交する垂直面、他端は傾斜面にする場合が多い）、同一の曲率中心を有する２つの部分球面状のレンズ面を両端に設けた均一屈折率のレンズ（いわゆるドラムレンズ）、部分球面状のレンズ面を一端に設けた均一屈折率の円柱状レンズ（いわゆるＣレンズ：他端は傾斜面にする場合が多い）、非球面レンズ等が用いられる。
【０００３】
また、下記の特許文献５では、光ファイバとレンズとの間で光軸調整を可能にするため、光ファイバの端部が固定された毛細管（フェルール）をスリーブの凹状部に埋設した毛細管アッセンブリと、レンズを円筒状ブッシュ内に固定したレンズアッセンブリとを作製し、毛細管アッセンブリとレンズアッセンブリとの相対位置を調整して、光ファイバとレンズとの間の光軸調整を行った後、スリーブの端面と円筒状ブッシュの端面とを相互に固定している。光ファイバの先端面、及びこれを保持した毛細管の端面は球面状に研磨され、毛細管がスリーブによって加圧されることにより、光ファイバの先端面はレンズの入出射面とＰＣ接触（Physical Contact）する。レンズとしては、ＧＲＩＮレンズが用いられている。また、光機能部品としてのフィルタは、レンズアッセンブリとは別の部材（ベース部材７ｂ）に固定され、相対向するレンズアッセンブリ間に介装されている。
【０００４】
また、下記の特許文献６では、バンドパスフィルタ、光アイソレータといった各種光学部品を外径寸法が一致した別々の円筒状スリーブに固定して複数のエレメントを作製し、各エレメントの円筒状スリーブに形成した位置合わせ用のマーカーにより、各エレメントを相互に位置合わせして積層固定している（円筒状本体）。そして、このようにして作製した円筒状本体の一端に、毛細管アッセンブリ（フェルールアッセンブリ）をＸ、Ｙ、Ｚ軸方向に光軸調整して固定すると共に、円筒状本体の他端に、球レンズを有するエレメントをＸ、Ｙ、Ｚ軸方向に光軸調整して固定し、さらに毛細管アッセンブリ（フェルールアッセンブリ）をＸ、Ｙ、Ｚ軸方向に光軸調整して固定している。また、上記のエレメントとして、レンズホルダに圧入固定された非球面レンズとバンドパスフィルタとを円筒状スリーブに固定したものが開示されている（図２Ａ）。
【０００５】
【特許文献１】特開２００２−１８２０６１号公報
【特許文献２】特開２００３−３４４６９７号公報
【特許文献３】特開２００５−１０３７２号公報
【特許文献４】特開２００５−２４９２８号公報
【特許文献５】特開２００４−２７１８９４号公報
【特許文献６】特開２００３−１２１６８１号公報
【発明の開示】
【発明が解決しようとする課題】
【０００６】
２つの毛細管・レンズアッセンブリをレンズ同士が光機能部品を介して対向するように収容部材の内部に固定した構成の光デバイスでは、各毛細管・レンズアッセンブリにおいて、入出射する光の光軸がスリーブの中心軸と一致しないことが多い。そのため、光機能部品を予め固定した収容部材の内部に各毛細管・レンズアッセンブリを挿入した状態で、最適な光学調芯状態となるように各毛細管・レンズアッセンブリの位置を調整する必要がある。そして、その位置調整を可能にするために、各毛細管・レンズアッセンブリのスリーブの外周と収容部材の内周との間に比較的大きな隙間（直径差）を確保しなければならない。その結果、各毛細管・レンズアッセンブリのスリーブの外周を収容部材の内周に接着剤で固定する際、上記隙間に比較的多量の接着剤が入ることになり、該接着剤の硬化収縮や経年劣化に起因して、完成品である光デバイスの光学特性や耐候性等の性能面において、高い信頼性が得られない場合があった。
【０００７】
特に、近年、光通信の分野では、マルチメディア情報社会の進展に伴い、高速度光通信や、波長多重通信（ＷＤＭ）、高密度波長多重通信（ＤＷＤＭ）などの必要性が高まっており、これら通信システムに用いられる光デバイスに対して、より高エネルギーの光が入出力される条件下での信頼性向上が要求されるようになってきた。この種の光デバイスにおける比較的多量の接着剤の使用は、高エネルギーの入出力光に起因する光デバイスの温度上昇に伴い、接着剤の熱劣化の懸念を増大させることになる。また、接着剤が入出力光の光路中にある場合、条件によっては、接着剤が入出力光の高エネルギーに耐えられず、焼損等の破損を起こす可能性があることも予想される。
【０００８】
また、レンズとスリーブ、スリーブと収容部材とがそれぞれ相互に固定されているため、各部材の熱膨張量又は収縮量の差に起因する応力がレンズに集中した場合、屈折率が部分的に変化して光学特性に狂いが生じる。
【０００９】
また、特許文献５の光デバイスは、２つのレンズと、光機能部品（フィルタ）とが、それぞれ個別にアッセンブリされており、左右のベース部材（７ａ、７ｂ）と左右の毛細管アッセンブリを含めると、合計６つのエレメントを積層して相互に固定した構造になっている。しかも、毛細管アッセンブリのスリーブの端面をレンズアッセンブリの円筒状ブッシュの端面に接合した状態で、光ファイバの先端面がレンズの入出射面とＰＣ接触するようになっており、また、光ファイバの先端面とフィルタ（１７）との間の軸方向距離がレンズ及び円筒状ブッシュとベース部材（７ａ、７ｂ）の軸方向寸法によって決まる構造になっている。そのため、調芯作業が面倒であるばかりでなく、各エレメントの位置を調整する自由度が少なく、最適な光学調芯状態を得るために各エレメントの構成部品を高精度に加工する必要がある。その結果、製造コストが高くなる。
【００１０】
更に、特許文献６の光デバイスでは、バンドパスフィルタ、光アイソレータといった各種光学部品を含む複数のエレメントの各円筒状スリーブを同じ外径寸法に形成し、各円筒状スリーブの外径寸法でのマーカーによる位置合わせで、各種光学部品の光学調芯状態が得られるようにしている。そのため、各円筒状スリーブの外周と内周との同軸度や軸方向寸法、各円筒状スリーブに対する各光学部品の固定位置を高精度に管理する必要があり、製造コストが高くなる。
【００１１】
尚、特許文献１の光デバイスでは、レンズ同士が光機能部品を介して対向するように収容部材（保護チューブ）の内部に固定したレンズアッセンブリを備えている関係上、良好な光学特性を確保するために、レンズアッセンブリと、レンズアッセンブリに固定される毛細管とを、最適な光学調芯状態となるようにそれぞれの位置を調整する必要がある。特にレンズアッセンブリにおいては、光ファイバとの関係から最適な光学調芯状態を実現する上で、２つのレンズを収容スリーブ（収容部材）に対して正確に位置調整して固定することが必要となる。そのため、このレンズの位置調整を可能にするために、収容スリーブの内周面と、各レンズの外周面との間に比較的大きな隙間（直径差）を確保して対応するのが通例である。その結果、各レンズの外周を収容スリーブの内周面に接着剤で固定する際、上記隙間に比較的多量の接着剤が入ることになり、該接着剤の硬化収縮や経年劣化に起因して位置調整されたレンズの固定位置に変位が生じ、完成品である光デバイスの光学特性や耐候性等の性能面において、高い信頼性が得られない場合があった。
【００１２】
一方、特許文献１〜６の光デバイスに、球レンズの一部が平面部とされた所謂半球状レンズを使用した場合には、その半球状レンズを通過する主光線の光路が厳格に正確でないために球面収差の問題が生じてコリメート光が不適正となることによる光伝送損失と、その半球状レンズの平面部で光が反射して逆行することによる反射損失とを可及的に低減させることが、的確な光学特性を得る上で好ましい。しかしながら、この種の光デバイスでは、既述の問題に加えて、半球状レンズによる光伝送損失と反射損失の問題に対しては、適切な対策が講じられていないのが実情である。
【００１３】
本発明の課題は、光学特性や耐候性等の性能面において、高い信頼性が得られる光デバイスを提供することである。
【００１４】
本発明の他の課題は、製造コストを低減できる光デバイスを提供することである。
【課題を解決するための手段】
【００１５】
上記課題を解決するための本発明の説明に先立って、本発明の基本概念を示す基本的構成について、以下に説明をしておく。すなわち、基本的構成は、光ファイバがそれぞれ挿入固定された各毛細管を各保持部材がそれぞれ保持してなる第１毛細管アッセンブリ及び第２毛細管アッセンブリと、前記第１毛細管アッセンブリ及び第２毛細管アッセンブリの各光ファイバの先端と各空隙を介してそれぞれ対向する第１レンズ及び第２レンズと、前記第１レンズと第２レンズとの間に介装された光機能部品と、これら部品を収容する収容部材とを有するレンズアッセンブリとを備え、前記収容部材の一端面及び他端面に、前記第１毛細管アッセンブリ及び第２毛細管アッセンブリの各保持部材がそれぞれ固定されると共に、前記第１レンズ及び第２レンズのうち少なくとも一方のレンズは、球レンズがその球面部の曲率中心を内部に有して一部が平面部とされ、該平面部は、前記光ファイバの先端と対向した状態で該光ファイバの光軸と傾斜するように配置され、前記球面部の曲率中心は、前記光軸と直交する直線であって前記平面部との傾斜角が最大になる直線に沿う方向において、該光ファイバの先端に対して入出射する光の主光線の通過エリア側に、前記光軸からオフセットしていることに特徴づけられる。
【００１６】
基本的構成である光デバイスは、第１レンズ、第２レンズ、及び光機能部品を収容したレンズアッセンブリの収容部材の両端面に、第１毛細管アッセンブリと第２毛細管アッセンブリをそれぞれ固定する構造であるので、レンズアッセンブリに対する第１毛細管アッセンブリ及び第２毛細管アッセンブリの位置を最適な光学調芯状態となるように調整する際、毛細管アッセンブリの調整位置への移動が収容部材の内周によって制限されることがない。従って、従来の光デバイスに比べて、収容部材の内周側に調芯のための大きな隙間を確保する必要がなく、レンズや光機能部品を固定するために必要な接着剤の量を少なくすることができる。これにより、接着剤の硬化収縮や経年劣化に起因する光デバイスの光学特性や耐候性等の低下を抑制して、信頼性の高い光デバイスを構築することができる。また、レンズアッセンブリに対する第１毛細管アッセンブリ及び第２毛細管アッセンブリの位置調整の自由度が比較的大きいので、各構成部品を必要以上に高精度に加工することなく、最適な光学調芯状態を得ることができ、しかも、その調芯作業も比較的容易に行うことができる。これにより、製造コストを低減することができる。
【００１７】
ここで、光機能部品は、光学フィルタ（バンドパスフィルタ、長波長透過／反射フィルタ、短波長透過／反射フィルタ、補正用利得等価フィルタ等）や光アイソレータコア等である。
【００１８】
第１レンズと第２レンズは、それぞれ、光ファイバから出射された光を平行光にし、また、平行光を集光して光ファイバに入射させる機能を有するものとすることができる。また、第１レンズと第２レンズは、上述したＧＲＩＮレンズ、ドラムレンズ、Ｃレンズ、又は非球面レンズであっても良いが、その一方又は双方は、球レンズがその球面部の曲率中心を内部に有して一部が平面部とされたレンズ、つまり球面部と平面部とからなり且つ内部に球面部の曲率中心を有するレンズ（以下、このような構成のレンズを単に「半球状レンズ」ともいう）である。この半球状レンズは、球レンズの一部を平面部に加工して製作されたレンズであることが好ましく、このようにした場合には、上記の平面部と、球レンズの球面の一部がそのまま残された球面部（部分球面）とを有することになる。また、この半球状レンズは、内部に球面部の曲率中心を有しているため、球面部の球面頂点から曲率中心を通って平面部に至る線分の長さ（Ｌ）は、球面部の曲率半径（Ｒ：球レンズの半径）よりも大きいことになる。このようにすれば、球面部と平面部との境界に鋭角部が形成されなくなるので、半球状レンズに欠け等の損傷が生じにくくなり、また、ピンセット等の把持治具を用いて容易に取り扱うことができる。尚、平面部は上記の線分と直交する面となる。
【００１９】
上記の半球状レンズは、ＧＲＩＮレンズ等に比べ、球面部の曲率半径（Ｒ：球レンズの半径）や上記線分の長さ（Ｌ）等のレンズ形状や素材（材料の種類や組成）を変えるだけで、その光学特性を容易に変更できるという利点がある。また、素材となる球レンズが高精度で作製できるので、この球レンズを加工して得られた半球状レンズは精度が高く、しかも比較的安価に作製することができる。
【００２０】
基本的構成では、上記の半球状レンズは、その平面部が、これに先端が対向している光ファイバの光軸に対して傾斜するように配置されているため、光ファイバからの光は、半球状レンズの平面部に傾斜して照射されることになる。そのため、半球状レンズの平面部での反射光が、光ファイバに逆行する戻り光とはならず、これにより光伝送の反射損失が可及的に低減する。なお、上記の半球状レンズの平面部は、光ファイバの光軸と直角な面に対し、半球状レンズの屈折率や光ファイバの先端面の傾斜角に応じて、２〜７°の角度で傾斜している。しかも、上記の半球状レンズは、その球面部の曲率中心が、光ファイバの光軸と直交する直線であって平面部との傾斜角が最大となる直線に沿う方向において、光ファイバの光軸からオフセット（偏倚）し、且つ光ファイバの先端に入出射する光の主光線の通過エリア側、換言すればその光ファイバの先端から出射する光が該先端で屈折する側にオフセットしている。したがって、この半球状レンズを通過する光の主光線を、その曲率中心に可能な限り近づけることにより、球面収差の問題を回避し得ることになるため、適正なコリメート光が得られて、光伝送損失が可及的に低減する。なお、ここで述べた「光ファイバの光軸」とは、単一の毛細管に１本の光ファイバが挿入固定されている場合には、その１本の光ファイバの光軸を意味し、単一の毛細管に２本以上の光ファイバが挿入固定されている場合には、その二本以上の光ファイバの光軸が配列されている領域の中心軸を意味する。
【００２１】
この場合、前記球レンズの傾斜した平面部と対向した先端を有する光ファイバ及びそれが挿入固定された毛細管の先端を、前記球レンズの平面部の傾斜に倣って傾斜させることが好ましい。ここで、「倣って傾斜させる」とは、傾斜の方向が同一または略同一であればよく、傾斜角度については厳格な同一性が要求されるものではない。このようにすれば、光ファイバの先端面での反射光を光軸外に逃がすことができるため、ノイズが少なくなり、結果として長距離伝送が可能となる。
【００２２】
また、単一の毛細管に挿入固定される光ファイバは、１本の場合と複数本の場合とがある。そこで、第１毛細管アッセンブリ及び第２毛細管アッセンブリのうち少なくとも一方の毛細管に挿入固定された光ファイバが１本である場合には、該光ファイバの先端と空隙を介して対向する前記平面部が傾斜した球レンズからなるレンズは、該光ファイバに対して入出射する光の主光線が該レンズの球面部の曲率中心を通過するように構成することができる。一方、第１毛細管アッセンブリ及び第２毛細管アッセンブリのうち少なくとも一方の毛細管に挿入固定された光ファイバが複数本である場合には、それらの光ファイバの先端と空隙を介して対向する前記平面部が傾斜した球レンズからなるレンズは、それらの光ファイバに対して入出射する光の複数本の主光線が該レンズの球面部の曲率中心を基準としてその周囲を等角度間隔で近接して通過するように構成することができる。この場合、上述の光ファイバが２本である場合には、２本の主光線が曲率中心の両側（傾斜する平面部の傾斜角度が零となる方向の両側）における対称位置を近接して通過することになる。
したがって、いずれの場合であっても、球面収差の増加及びこれに起因する挿入損失を可及的に低減させることができる。
【００２３】
また、上記の半球状レンズは、レンズアッセンブリの収容部材に直接固定するようにしても良いが、貫通孔を有するレンズホルダに固定するようにするのが好ましい。具体的には、半球状レンズの球面部をレンズホルダの貫通孔の一端側縁部に当接させた状態で、半球状レンズを接着剤等でレンズホルダに固定する。半球状レンズの球面部をレンズホルダの貫通孔の一端側縁部に当接させることにより、半球状レンズの球面部の曲率中心とレンズホルダの貫通孔の中心とを容易に一致させることができる。尚、レンズホルダの貫通孔の大きさ及び形状は、このような調芯作用が得られる範囲で適宜決定すれば良い。例えば、貫通孔の形状として、円形、正多角形（正三角形、正方形、正六角形等）を採用することができる。
【００２４】
また、レンズホルダの外周と貫通孔の中心との同軸度や、端面と外周との直角度を管理し、この管理されたレンズホルダを収容部材に接着剤等で固定することにより、このレンズホルダに固定された半球状レンズの曲率中心を収容部材の内周の中心軸と一致又は略一致させることができる。これにより、その後の毛細管アッセンブリの調芯作業がより容易になる。また、この場合、半球状レンズは、レンズホルダの一端側に固定され、かつ、収容部材に対しては直接固定されないので、半球状レンズ、レンズホルダ、及び収容部材の相互間に熱膨張量又は収縮量の差が生じたとしても、光学特性に狂いを生じさせるような応力は半球状レンズに作用しない。
【００２５】
更に、光機能部品は、上記のレンズホルダの他端側に固定するようにしても良い。例えば、レンズホルダの一端側に半球状レンズを固定し、他端側に光機能部品を固定した組付体を予め製作しておき、この組付体を収容部材に収容し、位置調整した後、レンズホルダを収容部材に固定するという組立方法を採用することにより、組立作業の簡素化を図ることができる。また、レンズホルダの貫通孔が光路になるので、光機能部品をレンズホルダに接着剤で固定する場合でも、この接着剤は光路中に入らない。さらに、半球状レンズと光機能部品との間の距離は、レンズホルダの光軸方向の厚さを管理することによって、簡易に精度良く設定することができる。
【００２６】
一方、前記２つの保持部材のうち少なくとも一方の中心軸は、前記収容部材の内周の中心軸に対し、前記レンズの曲率中心のオフセットに対応して偏心していることが好ましい。このようにすれば、収容部材に半球状レンズを曲率中心をオフセットさせることなく収容した状態で、その収容部材に軸方向両端の保持部材を偏心した状態となるように固定することのみをもって、半球状レンズの曲率中心を光ファイバの光軸に対してオフセットさせることができ、半球状レンズを曲率中心がオフセットした状態に組み付ける作業が容易化される。
【００２７】
また、基本的構成は、球レンズがその球面部の曲率中心を内部に有して一部が平面部とされたレンズと、貫通孔を有するレンズホルダと、これら部品を収容する収容部材とを備えたレンズアッセンブリであって、前記レンズは、その平面部が前記収容部材の内周の中心軸に対して傾斜すると共に、その球面部が前記レンズホルダの貫通孔の一端側縁部に当接した状態で該レンズホルダに固定されている構成を提供する。このような構成によれば、光学特性や耐候性等の性能面において高い信頼性が得られ且つ製造コストを低減できる等の利点に加えて、既述の場合と同様の理由により反射損失を低減できる。
【００２８】
この場合、レンズホルダの他端側に隣接して、光機能部品が収容部材に収容されている構成としても良い。この場合、光機能部品をレンズホルダの他端側に固定しても良い。さらに、レンズホルダを収容部材に固定するようにしても良い。
【００２９】
更に、光機能部品に順次隣接して、貫通孔を有する第２レンズホルダと、球レンズをその球面部の曲率中心を内部に有して一部を平面部とした第２レンズとが、収容部材に収容されており、第２レンズはその球面部が第２レンズホルダの貫通孔の他端側縁部に当接した状態で該第２レンズホルダに固定されている構成としても良い。この場合、第２レンズホルダを収容部材に固定するようにしても良い。また、第２レンズは、その平面部が前記第１レンズの平面部と相対称となるように傾斜していることが好ましい。
【００３０】
また、基本的構成は、上記課題を解決するため、第１のレンズアッセンブリとして、球レンズがその球面部の曲率中心を内部に有して一部が平面部とされた第１レンズ及び第２レンズと、光機能部品と、該光機能部品を収容する収容部材とを備えたレンズアッセンブリであって、前記第１レンズは、その平面部が収容部材の内周の中心軸に対して傾斜すると共に、その球面部が前記収容部材の一端側開口縁部に当接した状態で該収容部材に固定され、且つ、前記第２レンズは、その平面部が前記第１レンズの平面部と相対称となるように傾斜すると共に、その球面部が前記収容部材の他端側開口縁部に当接した状態で該収容部材に固定されている構成を提供する。なお、ここでいう光機能部品も、光学フィルタ（バンドパスフィルタ、長波長透過／反射フィルタ、短波長透過／反射フィルタ、補正用利得等価フィルタ等）や光アイソレータコア等を意味する（以下、同様）。
【００３１】
このような構成によれば、第１レンズ及び第２レンズを構成するそれぞれの半球状レンズにおける球面部の曲率中心を、収容部材の内周の中心軸に容易に一致させることができる。すなわち、各半球状レンズの平面部を収容部材の内周の中心軸に対して傾斜させるにも拘わらず、各半球状レンズの球面部を収容部材の開口縁部に当接させるだけで、その球面部の曲率中心を収容部材の内周の中心軸上に精度よく調芯することができる。また、収容部材の内周面とレンズの外周面との間に大きな隙間を確保して調芯する場合に比して、レンズを固定するために必要な接着剤の量を大幅に少なくすることができる。したがって、かかるレンズアッセンブリを光デバイスに組み込めば、接着剤の硬化収縮や経年劣化に起因する光デバイスの光学特性や耐候性等の低下を抑制しつつ最適な光学調芯状態を確保できるので、信頼性の高い光デバイスを構築することができる。すなわち、かかるレンズアッセンブリを、光合分波器、光アイソレータ、光サーキュレータ、光スイッチ、光利得等価器等の光デバイスに組み込んだ場合には、光学特性や耐候性等の性能面において、高い信頼性を得ることができる。
【００３２】
また、各レンズは、それぞれの球面部を収容部材の開口縁部に当接するだけで、最適な位置に調芯されるので、レンズの調芯作業に面倒且つ煩雑な作業を強いられることはない。したがって、かかるレンズアッセンブリを光デバイスに組み込めば、上述の性能面における高い信頼性に加え、製造コストの低減をも同時に図ることができる。加えて、各レンズの平面部は、相対称となるように収容部材の内周の中心軸に対して傾斜しているため、反射損失の低減を的確に図ることもできる。
【００３３】
なお、この場合には、第１レンズと第２レンズとが、共通の収容部材の両端開口縁部に固定されることになることになるので、この収容部材の軸方向寸法を管理することにより、第１レンズ及び第２レンズの相互間隔を簡易に精度よく設定することができる。
【００３４】
上記の構成において、前記収容部材の内周に内スリーブが嵌合されており、該内スリーブは、その一端側開口縁部が前記第１レンズ又は前記第２レンズのいずれか一方の球面部に当接した状態で、該球面部又は前記収容部材の内周面のうち少なくとも一方に固定され、且つ、前記光機能部品は、前記内スリーブの他端面に固定されていることが好ましい。
【００３５】
このようにすれば、収容部材、内スリーブ及び光機能部品のそれぞれの寸法（収容部材の軸方向における寸法）をそれぞれ管理するだけで、第１レンズ、第２レンズ、および光機能部品のそれぞれの相互間距離を簡易に精度よく設定することができる。なお、内スリーブの内部空間が光の光路となるので、内スリーブの端面に光機能部品を接着剤により固定する場合でも、この接着剤が光路中に入ることを可及的に抑制することができる。
【００３６】
更に、基本的構成は、第２のレンズアッセンブリとして、球レンズがその球面部の曲率中心を内部に有して一部が平面部とされた第１レンズ及び第２レンズと、第１内スリーブと、第２内スリーブと、光機能部品と、これら部品のうち少なくとも前記第１内スリーブ、第２内スリーブ及び光機能部品を収容する収容部材とを備えたレンズアッセンブリであって、前記第１内スリーブ及び前記第２内スリーブは、相互に対向するそれぞれの片端面の間に前記光機能部品が介装された状態で、前記収容部材の内周に同軸状にそれぞれ嵌合固定されており、前記第１レンズは、その平面部が収容部材の内周の中心軸に対して傾斜すると共に、その球面部が前記第１内スリーブの一端側開口縁部に当接した状態で前記第１内スリーブに固定され、前記第２レンズは、その平面部が前記第１レンズの平面部と相対称となるように傾斜すると共に、その球面部が前記第２内スリーブの他端側開口縁部に当接した状態で前記第２内スリーブに固定されている構成を提供する。
【００３７】
このような構成によれば、第１レンズの球面部の曲率中心を第１内スリーブの内周の中心軸に容易に一致させることができると共に、第２レンズの球面部の曲率中心を第２内スリーブの内周の中心軸に容易に一致させることができる。そして、これら第１内スリーブと第２内スリーブとは、共通の収容部材の内周に同軸状にそれぞれ嵌合固定されていることから、第１レンズ及び第２レンズの各球面部の曲率中心は、収容部材の内周の中心軸に一致することになる。すなわち、各レンズの球面部を対応する内スリーブの開口縁部に当接させるだけで、その球面部の曲率中心を収容部材の内周の中心軸上に精度よく調芯することができる。また、収容部材の内周面とレンズの外周面との間に大きな隙間を確保して調芯する場合に比して、レンズを固定するために必要な接着剤の量を大幅に少なくすることができる。したがって、かかるレンズアッセンブリを光デバイスに組み込めば、接着剤の硬化収縮や経年劣化に起因する光デバイスの光学特性や耐候性等の低下を抑制しつつ最適な光学調芯状態を確保できるので、信頼性の高い光デバイスを構築することができる。すなわち、かかるレンズアッセンブリを、光合分波器、光アイソレータ、光サーキュレータ、光スイッチ、光利得等価器等の光デバイスに組み込んだ場合には、光学特性や耐候性等の性能面において、高い信頼性を得ることができる。なお、各内スリーブは、収容部材の内周面に嵌合固定されていることから、各内スリーブの内周面と収容部材との間に大きな隙間を形成する必要もなく、これら部材を相互に固定する際にも、接着剤の量を少なくすることができる。
【００３８】
また、各レンズは、それぞれの平面部が傾斜しているにも拘わらず、それぞれの球面部を各内スリーブの開口縁部に当接するだけで、最適な位置に調芯されるので、レンズの調芯作業に面倒且つ煩雑な作業を強いられることはない。したがって、かかるレンズアッセンブリを光デバイスに組み込めば、上述の性能面における高い信頼性に加え、製造コストの低減をも同時に図ることができる。しかも、反射損失の低減をも図り得ることになる。
【００４１】
以上の構成において、前記第１レンズ及び前記第２レンズは、球レンズの一部を平面部に加工して製作されたものであることが好ましい。
【００４２】
このようにすれば、第１レンズの球面部及び第２レンズの球面部を、比較的容易に精度よく加工することができ、各レンズの最適な光学調芯状態をより確実に得ることができる。
【００４３】
また、基本的構成は、光デバイスとして、上記の第１のレンズアッセンブリを備え、該レンズアッセンブリにおける前記収容部材の一端面及び他端面に、光ファイバが挿入固定された毛細管を保持した保持部材がそれぞれ固定され、前記第１レンズ及び前記第２レンズの球面部の曲率中心は、前記各光ファイバの光軸とそれぞれ直交する直線であって前記各平面部との傾斜角が最大になる直線に沿う方向において、それらの光ファイバの先端に対して入出射する光の主光線の通過エリア側に、前記各光軸からそれぞれオフセットしている構成を提供する。
【００４４】
このような構成によれば、既に述べた第１のレンズアッセンブリが有する作用効果を同様に享受することができることに加えて、各光ファイバに入出射すべく各半球レンズを通過する光の主光線がその球面部の曲率中心から大幅にずれることによる球面収差の増加、及びこれに起因する挿入損失が適切に低減する。
【００４５】
なお、上記の第１のレンズアッセンブリにおける前記第１レンズ及び前記第２レンズのそれぞれの平面部に光ファイバが挿入固定された毛細管を保持した保持部材を固定して光デバイスを構成してもよい。
【００４６】
以下、既述の各基本的構成を適宜参照しつつ、本発明について説明をする。すなわち、本発明は、上記課題を解決するため、特徴的な光デバイスとして、上記の第２のレンズアッセンブリを備え、該レンズアッセンブリにおける前記第１内スリーブの前記第１レンズが固定されている側の端面、及び前記第２内スリーブの前記第２レンズが固定されている側の端面に、光ファイバが挿入固定された毛細管を保持した保持部材がそれぞれ固定され、前記第１レンズ及び前記第２レンズの球面部の曲率中心は、前記各光ファイバの光軸とそれぞれ直交する直線であって前記各平面部との傾斜角が最大になる直線に沿う方向において、それらの光ファイバの先端に対して入出射する光の主光線の通過エリア側に、前記各光軸からそれぞれオフセットしている構成を提供する。
【００４７】
このような構成によれば、既に述べた第２のレンズアッセンブリが有する作用効果を同様に享受することができることに加えて、上述の半球状レンズの曲率中心から大幅にずれることによる球面収差の増加及びこれに起因する挿入損失を低減できる。
【００４８】
上記の特徴的な光デバイスにおいて、前記第１内スリーブ、前記第２内スリーブ及び前記光機能部品が、前記収容部材内で連接しているレンズアッセンブリを備えていることが好ましい。
【００４９】
このようにすれば、第１内スリーブ、第２内スリーブ、および光機能部品のそれぞれの寸法（収容部材の軸方向における寸法）を管理することにより、第１レンズ、第２レンズ、および光機能部品のそれぞれの相互間距離を簡易に精度よく設定することができる。なお、内スリーブの内部空間が光の光路となるので、内スリーブの端面に光機能部品を接着剤で固定する場合でも、この接着剤が光路中に入ることを可及的に抑制することができる。
【００５０】
上記の特徴的な光デバイスにおいて、半球状レンズからなる前記第１レンズ及び第２レンズのそれぞれ傾斜した平面部と対向した先端を有する光ファイバ及びそれが挿入固定された毛細管の先端を、前記第１レンズ及び第２レンズのそれぞれの平面部の傾斜に倣って傾斜させることが好ましい。
【００５１】
このようにすれば、既述の場合と同様に、光ファイバの先端面での反射光を光軸外に逃がすことができるため、ノイズが少なくなり、結果として長距離伝送が可能となる。
【００５２】
また、上記の特徴的な光デバイスにおいて、単一の毛細管には、１本の光ファイバが挿入固定される場合と、複数本の光ファイバが挿入固定される場合とがある。そこで、前記２つの毛細管のうち少なくとも一方の毛細管に挿入固定された光ファイバが１本である場合には、該光ファイバの先端と対向する平面部を有する第１レンズ及び第２レンズのうち少なくとも一方のレンズは、該光ファイバに対して入出射する光の主光線が該レンズの球面部の曲率中心を通過するように構成される。一方、前記２つの毛細管のうち少なくとも一方の毛細管に挿入固定された光ファイバが複数本である場合には、それらの光ファイバの先端と空隙を介して対向する平面部を有する第１レンズ及び第２レンズのうち少なくとも一方のレンズは、それらの光ファイバに対して入出射する光の複数本の主光線が該レンズの球面部の曲率中心を基準としてその周囲を等角度間隔で近接して通過するように構成される。
【００５３】
更に、上記の特徴的な光デバイスにおいて、前記２つの保持部材のうち少なくとも一方の中心軸が前記収容部材の中心軸に対して、前記第１レンズ及び第２レンズの曲率中心のオフセットに対応して偏心していることが好ましい。このようにすれば、既述の場合と同様に、半球状レンズからなる前記第１レンズ及び第２レンズをその曲率中心がオフセットした状態となるように光デバイスに組み込むための作業の容易化が図られる。
【００５４】
そして、上記の特徴的な光デバイスにおいても、記述の場合と同様の理由により、前記第１レンズ及び前記第２レンズが、球レンズの一部を平面部に加工して製作されたものであることが好ましい。
【発明の効果】
【００５５】
本発明によれば、光学特性や耐候性等の性能面において、高い信頼性が得られる光デバイスを提供することができる。また、本発明によれば、製造コストを低減して、より安価な光デバイスを提供することができる。更に、本発明によれば、半球状レンズの平面部に起因する反射損失或いは曲率中心に起因する光伝送損失を可及的に低減することができる。
【発明を実施するための最良の形態】
【００５６】
以下、本発明の実施形態を図面を参照して説明する。
【００５７】
図１は、本発明の第１実施形態に係る光デバイス１の概略構成を示している。詳しくは、図１（ａ）は、横断平面図であり、図１（ｂ）は、縦断側面図であって、この両図は、光デバイス１を中心軸を含む直交する２面でそれぞれ切断した図である。この光デバイス１は、単芯のコリメータと２芯のコリメータとを組み合わせたもので、波長多重通信（ＷＤＭ）等に用いることができる。
【００５８】
光デバイス１は、第１毛細管アッセンブリ２と、第２毛細管アッセンブリ３と、レンズアッセンブリ４とを主要な要素として構成される。
【００５９】
第１毛細管アッセンブリ２は、単芯の内孔に１本の光ファイバ５が接着剤で固定されたガラス製の毛細管６と、毛細管６の外周に同軸状に外挿され、接着剤等で固定されたガラス製の保持スリーブ７とを備えている。光ファイバ５の先端面５ａ及び毛細管６の先端面６ａは、図１（ａ）に示す縦断側面において、光ファイバ５の光軸に対して傾斜する傾斜面に研磨加工され、これにより光ファイバ５の先端での反射戻り光が抑制されるようになっている。また、光ファイバ５の先端面５ａには、反射防止膜が形成されている。保持スリーブ７の一方の端面７ａは、光ファイバ５の光軸と直交する面に形成され、その直角度は、例えば、光ファイバ５の光軸を法線とする幾何学的な理想平面に対して±０．５度以下、好ましくは±０．１度以下の精度で管理される。
【００６０】
第２毛細管アッセンブリ３は、２芯の内孔に２本の光ファイバ８、９がそれぞれ接着剤で固定されたガラス製の毛細管１０と、毛細管１０の外周に同軸状に外挿され、接着剤等で固定されたガラス製の保持スリーブ１１とを備えている。光ファイバ８、９の先端面８ａ、９ａ及び毛細管１０の先端面１０ａは、上述の光ファイバ５の先端面５ａ及び毛細管６の先端面６ａと相対称となるように、光ファイバ８、９の光軸に対して傾斜する傾斜面に研磨加工され、これにより光ファイバ８、９の先端での反射戻り光が抑制されるようになっている。また、光ファイバ８、９の先端面８ａ、９ａには、反射防止膜が形成されている。保持スリーブ１１の一方の端面１１ａは、光ファイバ８、９の光軸と直交する平面に形成され、その直角度は、例えば、光ファイバ８、９の光軸を法線とする幾何学的な理想平面に対して±０．５度以下、好ましくは±０．１度以下の精度で管理される。
【００６１】
レンズアッセンブリ４は、第１毛細管アッセンブリ２の光ファイバ５の先端面５ａと空隙を介して対向する第１レンズ１２と、第２毛細管アッセンブリ３の光ファイバ８、９の先端面８ａ、９ａと空隙を介して対向する第２レンズ１３と、第１レンズ１２と第２レンズ１３との間に介装された光機能部品、例えばフィルタ、特にバンドパスフィルタ１４と、これら部品を収容するガラス製の収容スリーブ（収容部材）１５とを主要な要素として構成される。
【００６２】
詳述すると、この実施形態において、第１レンズ１２は、球レンズの一部を平面部に加工して製作された半球状レンズであり、球レンズの一部を研磨加工等により切除して形成された平面部１２ａと、球レンズの残余の部分である球面部１２ｂとを有している。そして、この第１レンズ１２は、球面部１２ｂの曲率中心を内部に有していることから、球面部１２ｂから曲率中心を通って平面部１２ａに直交して至る線分の長さが、球面部１２ｂの曲率半径よりも大きくされている。尚、第１レンズ１２における上記線分の長さは、その曲率半径の１倍よりも大きく１．５倍よりも小さく、この実施形態では１．２倍とされている。また、第２レンズ１３も、球レンズの一部を平面部に加工して製作された半球状レンズであり、球レンズの一部を研磨加工等により切除して形成された平面部１３ａと、球レンズの残余の部分である球面部１３ｂとを有し、上記線分の長さに相当する長さ及び曲率半径との関係は、第１レンズ１２と同一とされている。
【００６３】
更に、第１レンズ１２は、その平面部１２ａが、上述の光ファイバ５の先端面５ａ及び毛細管６の先端面６ａの傾斜に倣って（同一の傾斜の方向性をもって）、光ファイバ５の光軸に対して傾斜すると共に、第２レンズ１３も、その平面部１３ａが、上述の光ファイバ８、９の先端面８ａ、９ａ及び毛細管１０の先端面１０ａの傾斜に倣って、光ファイバ８、９の光軸に対して傾斜している。したがって、両レンズ１２、１３の平面部１２ａ、１３ａは、相対称となるように傾斜している。
【００６４】
詳述すると、図２に誇張して示すように、第１レンズ１２は、その球面部１２ｂの曲率中心Ａが、光ファイバ（コア）５の光軸５ｘと直交し且つその平面部１２ａとの傾斜角αが最大となる直線Ｌに沿う方向において、光ファイバ５の光軸５ｘからオフセットし、且つ光ファイバ５の先端面５ａに入出射する光の主光線Ｂ１の通過エリア側に所定寸法Δａ
だけオフセットしている。換言すれば、光ファイバ５の先端面５ａから出射する光の主光線Ｂ１がその先端面５ａで屈折する方向に、光ファイバ５の光軸５ｘからオフセット量Δ
ａだけ偏倚した位置に、曲率中心Ａが存在している。この実施形態では、上記の主光線Ｂ１が、第１レンズ１２の曲率中心Ａを通過するように設定されている。これにより、第１レンズ１２の球面収差の問題（球面収差の増加に起因する挿入損失の増大）が回避されることになるため、適正なコリメート光が得られて、光伝送損失が可及的に低減する。また、第１レンズ１２の平面部１２ａが、光ファイバ５の光軸５ｘと直交する面に対して角度α（例えば、半球状レンズとして後述する日本電気硝子株式会社製ＭＫ−１８、光ファイバとして一般的なシングルモードファイバ（先端面の傾斜角は８°）を１５５０ｎｍで用いた場合、約４．７°）だけ傾斜しているため、光ファイバ５からの光は、その平面部１２ａに傾斜して照射されることになり、これにより平面部１２ａでの反射光が、光ファイバ５に逆行する戻り光とはならず、反射損失が可及的に低減する。尚、第２レンズ１３についても、同様の構成であって、図２に示す状態とは相対称となるように配置されるが、第２レンズ１３に２本の光ファイバ８、９から照射された光の２本の主光線は、第２レンズ１３の曲率中心の両側（２本の光ファイバ８、９の配列方向の両側）における対称位置を相互に近接して通過することになる。
【００６５】
第１レンズ１２と第２レンズ１３は、例えば、均一屈折率の光学ガラスからなり、そのような光学ガラスとして、屈折率が１．７以上のＭＫ−１８（日本電気硝子株式会社製）、屈折率が１．９以上のＲＨ−２１（日本電気硝子株式会社製）等を挙げることができる。尚、例えば、第１レンズ１２と第２レンズ１３は、ＭＫ−１８により形成され、同じ屈折率と同じ焦点距離を有するドラムレンズに比べて、光ファイバの先端との間の空隙量を約３．７倍程度大きくすることができるので、光ファイバへの反射戻り光を約１／１０以下に低減できる。また、第１レンズ１２と第２レンズ１３の平面部１２ａ、１３ａと球面部１２ｂ、１３ｂにおける光が透過する部分には、反射防止膜が形成されている。
【００６６】
図１に示すように、第１レンズ１２は、第１レンズホルダ１６を介して収容スリーブ１５に固定されている。第１レンズホルダ１６は、ガラス、金属、又はセラミックス等により（この実施形態ではガラスにより）、円形リング状又は円筒状に形成され、その中心部に円形の貫通孔１６ａを有している。第１レンズ１２は、その球面部１２ｂを第１レンズホルダ１６の貫通孔１６ａの一端側縁部に当接させた状態で、接着剤で第１レンズホルダ１６の一端側に固定されている。第１レンズ１２の球面部１２ｂを第１レンズホルダ１６の貫通孔１６ａの一端側縁部に当接させることにより、球面部１２ｂの曲率中心Ａと第１レンズホルダ１６の貫通孔１６ａの中心とを容易に一致させることができる。第１レンズホルダ１６は、その外周と貫通孔１６ａの中心との同軸度や、端面と外周との直角度が管理され、その外周を収容スリーブ１５の内周に接着剤で固定される。このような管理された第１レンズホルダ１６に第１レンズ１２を固定することにより、第１レンズホルダ１６を収容スリーブ１５の内周に固定した状態で、第１レンズ１２の球面部１２ｂの曲率中心Ａを収容スリーブ１５の内周の中心軸と一致又は略一致させることができる。また、第１レンズ１２は、第１レンズホルダ１６の一端側に固定され、かつ、収容スリーブ１５の内周には直接固定されないので、収容スリーブ１５や第１レンズホルダ１６との間の熱膨張量又は収縮量の差が生じたとしても、光学特性に狂いを生じさせるような応力は第１レンズ１２に作用しない。
【００６７】
第２レンズ１３は、第２レンズホルダ１７を介して収容スリーブ１５の内周に固定されている。第２レンズホルダ１７は、ガラス、金属、又はセラミックス等により（この実施形態ではガラスにより）、円形リング状又は円筒状に形成され、その中心部に円形の貫通孔１７ａを有している。第２レンズ１３は、その球面部１３ｂを第２レンズホルダ１７の貫通孔１７ａの他端側縁部に当接させた状態で、接着剤で第２レンズホルダ１７の他端側に固定されている。第２レンズ１３の球面部１３ｂを第２レンズホルダ１７の貫通孔１７ａの他端側縁部に当接させることにより、球面部１３ｂの曲率中心と第２レンズホルダ１７の貫通孔１７ａの中心とを容易に一致させることができる。第２レンズホルダ１７は、その外周と貫通孔１７ａの中心との同軸度や、端面と外周との直角度が管理され、その外周を収容スリーブ１５の内周に接着剤で固定される。このような管理された第２レンズホルダ１７に第２レンズ１３を固定することにより、第２レンズホルダ１７を収容スリーブ１５の内周に固定した状態で、第２レンズ１３の球面部１３ｂの曲率中心を収容スリーブ１５の内周の中心軸と一致又は略一致させることができる。また、第２レンズ１３は、第２レンズホルダ１７の他端側に固定され、かつ、収容スリーブ１５の内周には直接固定されないので、収容スリーブ１５や第２レンズホルダ１７との間の熱膨張量又は収縮量の差が生じたとしても、光学特性に狂いを生じさせるような応力は第２レンズ１３に作用しない。
【００６８】
この実施形態において、光機能部品としてのバンドパスフィルタ１４は、第２レンズホルダ１７の一端側に接着剤で固定されている。バンドパスフィルタ１４は、第２レンズホルダ１７の貫通孔１７ａを介して第２レンズ１３の球面部１３ｂと対向すると共に、第１レンズホルダ１６の貫通孔１６ａを介して第１レンズ１２の球面部１２ｂと対向する。尚、バンドパスフィルタ１４の一端面は、第１レンズホルダ１６の他端面に当接させても良いし、該他端面から離しても良い。あるいは、バンドパスフィルタ１４を、第２レンズホルダ１７と第１レンズホルダ１６の双方に接着剤で固定するようにしても良い。
【００６９】
収容スリーブ１５の一端面１５ａと他端面１５ｂは、それぞれ、収容スリーブ１５の内周の中心軸と直交する平面に形成され、その直角度は、例えば、内周の中心軸を法線とする幾何学的な理想平面に対して±０．５度以下、好ましくは±０．１度以下の精度で管理される。また、図１（ｂ）に示すように縦断側面において、第１レンズ１２の平面部１２ａは収容スリーブ１５の一端面１５ａと平行であり、第２レンズ１３の平面部１３ａは収容スリーブ１５の他端面１５ｂと平行である。
【００７０】
第１毛細管アッセンブリ２とレンズアッセンブリ４は、保持スリーブ７の端面７ａと収容スリーブ１５の一端面１５ａとを突き合わせ状にして接着剤で固定され、第２毛細管アッセンブリ３とレンズアッセンブリ４は、保持スリーブ１１の端面１１ａと収容スリーブ１５の他端面１５ｂとを突き合わせ状にして接着剤で固定される。この場合、２つの保持スリーブ７、１１は同軸上に配置されるが、図１（ａ）に示す横断平面において、保持スリーブ７、１１の中心軸は、収容スリーブ１５の中心軸に対して、第１レンズ１２及び第２レンズ１３の曲率中心Ａのオフセット量Δａだけ偏心して配置される。その結果、保持スリーブ７と保持スリーブ１１の中心軸は略一致するようになる。これにより、第１レンズ１２の平面部１２ａは第１毛細管アッセンブリ２の光ファイバ５の先端面５ａと空隙を介して適正に対向し、第２レンズ１３の平面部１３ａは第２毛細管アッセンブリ３の光ファイバ８、９の先端面８ａ、９ａと空隙を介して適正に対向する。
【００７１】
この実施形態の光デバイス１は、例えば次のようにして組み立てることができる。
【００７２】
まず、第２レンズホルダ１７に上述した態様で第２レンズ１３とバンドパスフィルタ１４を接着剤で固定して、これら３部品からなる組付体を作製する。その際、適宜、位置決め治具で押圧して、第２レンズ１３の平面部１３ａと、第２レンズホルダ１７の端面（中心軸に対する直角度が管理された端面）とが、図１（ａ）に示す横断平面において所定角度αだけ傾斜、また、図１（b）に示す縦断側面において平行又は略平行になるように固定する。そして、この組付体を収容スリーブ１５の内周に挿入し、その位置を調整した後、第２レンズホルダ１７の外周を収容スリーブ１５の内周に接着剤で固定する。尚、組付体の第２レンズホルダ１７を収容スリーブ１５の内周にスムーズに挿入できるように、第２レンズホルダ１７の外周径と収容スリーブ１５の内周径とを略一致させてある（第２レンズホルダ１７の外周と収容スリーブ１５の内周との間のクリアランスが可及的に小さくなるようにしている）。このようにすれば、図１（ｂ）に示す縦断側面において、第２レンズ１３の平面部１３ａが収容スリーブ１５の他端面１５ｂと平行で、かつ、収容スリーブ１５の内周の中心軸と直交した状態又はこれに近い状態、また図１（ａ）に示す横断平面において、第２レンズ１３の平面部１３ａが収容スリーブ１５の他端面１５ｂと所定角度αだけ傾斜した状態またはこれに近い状態となるように、上記の組付体を収容スリーブ１５に固定することができる。また、上述のように、第２レンズホルダ１７の外周と貫通孔１７ａの中心との同軸度や、端面と外周との直角度を管理することにより、第２レンズ１３の球面部１３ｂの曲率中心を収容スリーブ１５の内周の中心軸と一致又は略一致させることができる。
【００７３】
つぎに、第１レンズホルダ１６に上述した態様で第１レンズ１２を接着剤で固定して、これら２部品からなる組付体を作製する。その際、適宜、楔形の治具等を含む位置決め治具を使用して、図１（ｂ）に示す縦断側面において、第１レンズ１２の平面部１２ａと、第１レンズホルダ１６の端面（中心軸に対する直角度が管理された端面）とが平行または略平行になり、かつ、同図（ａ）に示す横断平面において、第１レンズ１２の平面部１２ａと第１レンズホルダ１６の端面とが所定角度αだけ傾斜するように固定する。そして、この組付体を収容スリーブ１５の内周に挿入し、その位置を調整した後、第１レンズホルダ１６の外周を収容スリーブ１５の内周に接着剤で固定する。尚、組付体の第１レンズホルダ１６を収容スリーブ１５の内周にスムーズに挿入できるように、第１レンズホルダ１６の外周径と収容スリーブ１５の内周径とを略一致させてある（第１レンズホルダ１６の外周と収容スリーブ１５の内周との間のクリアランスが可及的に小さくなるようにしている）。このようにすれば、図１（ａ）に示す横断平面において、第１レンズ１２の平面部１２ａが収容スリーブ１５の一端面１５ａと所定角度αだけ傾斜した状態又はこれに近い状態で、かつ、図１（ｂ）に示す縦断側面において、第１レンズ１２の平面部１２ａが収容スリーブ１５の一端面１５ａと平行で収容スリーブ１５の内周の中心軸と直交した状態又はこれに近い状態となるように、上記の組付体を収容スリーブ１５に固定することができる。また、上述のように、第１レンズホルダ１６の外周と貫通孔１６ａの中心との同軸度や、端面と外周との直角度を管理することにより、第１レンズ１２の球面部１２ｂの曲率中心Ａを収容スリーブ１５の内周の中心軸と一致又は略一致させることができる。
【００７４】
つぎに、上記の組付体を固定した収容スリーブ１５の他端面１５ｂに、第２毛細管アッセンブリ３の保持スリーブ１１の端面１１ａを突き合わせ、両者の相対位置を、光ファイバ８、９の光軸方向（Ｚ軸方向）と直交する方向（Ｘ軸、Ｙ軸方向）に上述のオフセット量Δａを加味して調整すると共に、その突き合わせた第２毛細管アッセンブリ３の保持ス
リーブ１１内で毛細管１０を光軸方向（Ｚ軸方向に）に移動させて、毛細管１０に固定された光ファイバ８、９の先端面８ａ、９ａの位置を調整し、例えば一方の光ファイバ８から出射された光がバンドパスフィルタ１４で反射して、他方の光ファイバ９に戻るように、最適な光学調芯状態で接着固定する。
【００７５】
さらに、上記の組付体を固定した収容スリーブ１５の一端面１５ａに、第１毛細管アッセンブリ２の保持スリーブ７の端面７ａを突き合わせ、両者の相対位置を、光ファイバ５の光軸方向（Ｚ軸方向）と直交する方向（Ｘ軸、Ｙ軸方向）に上述のオフセット量Δａを
加味して調整すると共に、その突き合わせた第１毛細管アッセンブリ２の保持スリーブ７内で毛細管６を光軸方向（Ｚ軸方向に）に移動させて、毛細管６に固定された光ファイバ５の先端面５ａの位置を調整し、例えば第２毛細管アッセンブリ３の一方の光ファイバ８から出射された光がバンドパスフィルタ１４を通過して、光ファイバ５に入射するように、最適な光学調芯状態で接着固定する。
【００７６】
上述の光デバイス１の組立方法において、光デバイス１を構成する部材が全て透明材料（例えば樹脂、ガラス等）で形成されていると、接着剤としてＵＶ硬化型接着剤の使用が可能になるため、組立作業の作業性が向上する。また、保持スリーブ７（１１）と毛細管６（１０）との接着、及び／又は、毛細管アッセンブリ２（３）とレンズアッセンブリ４との接着において、ＵＶ硬化型接着剤で仮止めした後、信頼性の高い熱硬化接着剤で固定するようにしても良い。
【００７７】
つぎに、この実施形態の光デバイス１の一使用例（光分波器としての使用例）について説明する。
【００７８】
例えば、第２毛細管アッセンブリ３の一方の光ファイバ８から相異なる波長λ１、λ２の光が出射される。バンドパスフィルタ１４は、波長λ１の光を反射し、波長λ２の光を通過させる光学的特性を有している。第２毛細管アッセンブリ３の光ファイバ８から出射された波長λ１の光は、第２レンズ１３によって平行光にコリメートされ、バンドパスフィルタ１４で反射される。バンドパスフィルタ１４で反射された波長λ１光は、第２レンズ１３によって集光されて、第２毛細管アッセンブリ３の他方の光ファイバ９に戻される。一方、第２毛細管アッセンブリ３の光ファイバ８から出射された波長λ２の光は、第２レンズ１３によって平行光にコリメートされ、バンドパスフィルタ１４に入る。そして、バンドパスフィルタ１４を通過し、第１レンズ１２によって集光されて、第１毛細管アッセンブリ２の光ファイバ５に入射する。
【００７９】
図３（ａ）は、本発明の第２実施形態に係る光デバイス２１の概略構成を示す横断平面図であって、図３（ｂ）は、その縦断側面図である。尚、上述の第１実施形態に係る光デバイス１と、実質的に同一の部品及び部分には同一の参照数字を附して、重複する説明を省略する。
【００８０】
この実施形態の光デバイス２１が、前述した第１の実施形態の光デバイス１と実質的に異なる点は、単芯のコリメータ同士を組み合わせている点、光機能部品としてアイソレータコア１４’を用いている点である。
【００８１】
第１毛細管アッセンブリ２では、毛細管６の単芯の内孔に１本の光ファイバ５が接着剤で固定され、第２毛細管アッセンブリ３では、毛細管１０’の単芯の内孔に１本の光ファイバ８が接着剤で固定されている。また、光機能部品としてのアイソレータコア１４’は、第２レンズホルダ１７の一端側に接着剤で固定されている。その他の事項は、第１の実施形態の光デバイス１に準じるので、重複する説明を省略する。
【００８２】
図４（ａ）は、本発明の第３実施形態に係る光デバイス３１の概略構成を示す横断面図であって、図４（ｂ）は、その縦断側面図である。この光デバイス３１も、第１毛細管アッセンブリ３２と、第２毛細管アッセンブリ３３と、レンズアッセンブリ３４とを主要な要素として構成される。
【００８３】
そして、第１毛細管アッセンブリ３２が、単芯の内孔に１本の光ファイバ３５が挿入固定された毛細管３６と、毛細管３６の外周に固定された保持スリーブ３７とを備え、光ファイバ３５の先端面３５ａ及び毛細管３６の先端面３６ａが光ファイバ３５の光軸に対して傾斜した同一傾斜面に研磨加工されている点や、第２毛細管アッセンブリ３３が、２芯の内孔に２本の光ファイバ３８、３９がそれぞれ固定された毛細管４０と、毛細管４０の外周に固定された保持スリーブ（保持部材）４１とを備え、光ファイバ３８、３９の先端面３８ａ、３９ａ及び毛細管４０の先端面４０ａが光ファイバ３８、３９の光軸に対して傾斜した同一傾斜面に研磨加工されている点などは、上述の第１実施形態と同一である。
【００８４】
また、レンズアッセンブリ３４が、第１毛細管アッセンブリ３２の光ファイバ３５の先端面３５ａと空隙を介して対向する第１レンズ４２と、第２毛細管アッセンブリ３３の光ファイバ３８、３９の先端面３８ａ、３９ａと空隙を介して対向する第２レンズ４３と、第１レンズ４２と第２レンズ４３との間に介装された光機能部品、例えば光学フィルタ、特にバンドパスフィルタ４４と、これら部品を収容するガラス製の収容スリーブ４５とを有している点も、上述の第１実施形態と同一である。
【００８５】
更に、第１レンズ４２及び第２レンズ４３が半球状レンズであって、それらの平面部４２ａ、４３ａが所定方向に傾斜している点と、それらの球面部４２ｂ、４３ｂの曲率中心が所定方向にオフセットしている点も、上述の第１実施形態と同一である。
【００８６】
そして、この第４実施形態では、第１レンズ４２が、その球面部４２ｂを収容スリーブ４５の一端側開口縁部に当接させた状態で、収容スリーブ４５の一端側に接着剤で固定され、第２レンズ４３が、その球面部４３ｂを収容スリーブ４５の他端側開口縁部に当接させた状態で、収容スリーブ４５の他端側に接着剤で固定されている。
【００８７】
光機能部品としてのバンドパスフィルタ４４は、内スリーブ４６を介して収容スリーブ４５の内周面に固定されている。内スリーブ４６は、ガラス、金属、又はセラミックス等により（この実施形態ではガラスにより）、円形リング状又は円筒状に形成されている。詳述すると、内スリーブ４６は、収容スリーブ４５の内周に嵌合され、その他端側開口縁部を第２レンズ４３の球面部４３ｂに当接させた状態で、収容スリーブ４５の内周面に接着剤で固定されている。なお、この実施形態では、内スリーブ４６の他端開口縁部に、第２レンズの球面部４３ｂが接着剤で固定されているが、この部位の接着剤による固定は、廃止してもよい。そして、バンドパスフィルタ４４は、この内スリーブ４６の一端面４６ａに接着剤で固定されている。この状態で、バンドパスフィルタ４４は、内スリーブ４６の内部空間を介して第２レンズ４３の球面部４３ｂと対向すると共に、収容スリーブ４５の内部空間を介して第１レンズ４２の球面部４２ｂに対向するようになっている。すなわち、第１レンズ４２、第２レンズ４３、及びバンドパスフィルタ４４のそれぞれの相互間距離を、収容スリーブ４５及び内スリーブ４６のそれぞれの軸方向寸法を管理することにより、簡易に精度よく設定することができる。なお、内スリーブ４６の一端側開口部を、第１レンズ４２の球面部４２ｂに当接させた状態で収容スリーブ４５の内周面に接着剤で固定して、該内スリーブ４６の他端面４６ｂにバンドパスフィルタ４４を接着剤で固定するようにしてもよい。
【００８８】
第１毛細管アッセンブリ３２とレンズアッセンブリ３４は、保持スリーブ３７の一方の端面３７ａと収容スリーブ４５の一端面４５ａとを突き合わせ状にして接着剤で固定され、第２毛細管アッセンブリ３３とレンズアッセンブリ３４は、保持スリーブ４１の一方の端面４１ａと収容スリーブ４５の他端面４５ｂとを突き合わせ状にして接着剤で固定される。なお、第１毛細管アッセンブリ３２の保持スリーブ３７の内周面には、レンズアッセンブリ３４側から順に、大径部と、この大径部よりも相対的に小径となる小径部とが設けられている。そして、小径部に毛細管３６が挿入固定されており、大径部内に隙間を介して第１レンズ４２が収容されている。同様に、第２毛細管アッセンブリ３３の保持スリーブ４１の内周面にも大径部と小径部とが設けられており、小径部に毛細管４０が挿入固定され、大径部内に隙間を介して第２レンズ４３が収容されている。
【００８９】
この実施形態の光デバイス３１は、例えば次のようにして組み立てることができる。
【００９０】
まず、収容スリーブ４５の他端側に上述した態様で第２レンズ４３を接着剤で固定する。その後、バンドパスフィルタ４４が接着固定された内スリーブ４６を、収容スリーブ４５の他端側からその内周に挿入して、内スリーブ４６の他端側開口縁部を第２レンズ４３の球面部４３ｂに当接させて接着剤で固定すると共に、内スリーブ４６の外周面を収容スリーブ４５の内周面に接着剤で固定する。なお、内スリーブ４６は、第２レンズ４３の球面部４３ｂにのみ接着剤で固定しても良い。また、内スリーブ４６を収容スリーブ４５の内周にスムーズに挿入できるように、内スリーブ４６の外径と収容スリーブ４５の内径とを略一致させてある。具体的には、収容スリーブ４５の内周面と、内スリーブ４６の外周面との間のクリアランスは、例えば０．０３０ｍｍ以下、好ましくは０．０１５ｍｍ以下に設定される。
【００９１】
そして、このように第２レンズ４３、内スリーブ４６、及びバンドパスフィルタ４４が固定された収容スリーブ４５の一端側に上述した態様で第１レンズ４２を接着剤で固定することで、レンズアッセンブリ３４を作製することができる。
【００９２】
つぎに、上述のようにして製作されたレンズアッセンブリ３４の収容スリーブ４５の他端面４５ｂに、第２毛細管アッセンブリ３３の保持スリーブ４１の一方の端面４１ａを突き合わせ、両者の相対位置を、光ファイバ３８、３９の光軸方向（Ｚ軸方向）と直交する方向（Ｘ軸、Ｙ軸方向）に上述の第２レンズ４３の曲率中心のオフセット量を加味して調整すると共に、その突き合わせた第２毛細管アッセンブリ３３の保持スリーブ４１内で毛細管４０を光軸方向（Ｚ軸方向）に移動させて、毛細管４０に固定された光ファイバ３８、３９の先端面３８ａ、３９ａの位置を調整し、例えば一方の光ファイバ３８から出射された光がバンドパスフィルタ４４で反射して、他方の光ファイバ３９に戻るように、最適な光学調芯状態で接着固定する。
【００９３】
さらに、上記のレンズアッセンブリ３４の収容スリーブ４５の一端面４５ａに、第１毛細管アッセンブリ３２の保持スリーブ３７の一方の端面３７ａを突き合わせ、両者の相対位置を、光ファイバ３５の光軸方向（Ｚ軸方向）と直交する方向（Ｘ軸、Ｙ軸方向）に上述の第１レンズ４２の曲率中心のオフセット量を加味して調整すると共に、その突き合わせた第１毛細管アッセンブリ３２の保持スリーブ３７内で毛細管３６を光軸方向（Ｚ軸方向）に移動させて、毛細管３６に固定された光ファイバ３５の先端面３５ａの位置を調整すると共に、毛細管３６を回転させて、毛細管３６に固定された光ファイバ３５の光軸に対して傾斜した先端面３５ａの傾斜方向を調整し、例えば第２毛細管アッセンブリ３３の一方の光ファイバ３８から出射された光がバンドパスフィルタ４４を透過して、光ファイバ３５に入射するように、最適な光学調芯状態で接着固定する。
【００９４】
図５（ａ）は第４実施形態に係る光デバイス５１の概略構成を示す横断面図であって、図５（ｂ）はその縦断面図である。なお、第３実施形態に係る光デバイス３１と、実質的に同一の部品及び部分には同一の参照数字を附して、重複する説明を省略する。
【００９５】
この実施形態の光デバイス５１が、前述した第３実施形態の光デバイス３１と実質的に異なる点は、単芯のコリメータ同士を組み合わせている点と、光機能部品としてアイソレータコア４４´を用いている点とである。
【００９６】
第１毛細管アッセンブリ３２では、毛細管３６の単芯の内孔に１本の光ファイバ３５が接着剤で固定され、第２毛細管アッセンブリ３３では、毛細管４０’の単芯の内孔に１本の光ファイバ３８が接着剤で固定されている。その他の事項は、第３実施形態の光デバイス３１に準じるので、重複する説明を省略する。
【００９７】
図６（ａ）は第５実施形態に係る光デバイス６１の概略構成を示す横断平面図であって、図６（ｂ）はその縦断側面図である。なお、第３実施形態に係る光デバイス３１と、実質的に同一の部品及び部分には同一の参照数字を附して、重複する説明を省略する。
【００９８】
この実施形態の光デバイス６１が、上記の第３実施形態に係る光デバイス３１と相違する点は、レンズアッセンブリ３４の構成と、このレンズアッセンブリ３４への第１毛細管アッセンブリ３２及び第２毛細管アッセンブリ３３の固定方法とにある。すなわち、このレンズアッセンブリ３４は、収容スリーブ４５の内周に、第１内スリーブ６４と第２内スリーブ６３とが同軸状に嵌合固定されており、この嵌合固定された第１内スリーブ６４の他端面６４ｂと第２内スリーブ６３の一端面６３ａとの間に、それぞれの端面６４ｂ、６３ａに接触した状態でバンドパスフィルタ４４が固定されている。この際、バンドパスフィルタ４４は、第１内スリーブ６４の他端面６４ｂ及び第２内スリーブ６３の一端面６３ａの少なくとも一方に接着剤で固定される（この実施形態では第２内スリーブ６３の一端面６３ａに接着剤で固定されている）。第１レンズ４２は、第１内スリーブ６４の一端側開口縁部に、その球面部４２ｂを当接させた状態で第１内スリーブ６４の一端側に接着剤で固定されていると共に、第２レンズ４３は、第２内スリーブ６３の他端側開口縁部に、その球面部４３ｂを当接させた状態で第２内スリーブ６３の他端側に接着剤で固定されている。なお、第１レンズ４２及び第２レンズ４３は、それらの平面部４２ａ、４３ａが所定方向に傾斜し、それらの球面部４２ｂ、４３ｂの曲率中心が所定方向にオフセットしている点については、上記第３実施形態と同一である。
【００９９】
また、第１内スリーブ６４の一端面６４ａと第２内スリーブ６３の他端面６３ｂとは、収容スリーブ４５の両端から僅かに外方に突出している。そして、第１毛細管アッセンブリ３２における保持スリーブ３７が、第１内スリーブ６４の一端面６４ａに接着剤で固定されている。また、第２毛細管アッセンブリ３３における保持スリーブ４１が、第２内スリーブ６３の他端面６３ｂに接着剤で固定されている。なお、第１内スリーブ６４の両端面６４ａ、６４ｂ及び第２内スリーブ６３の両端面６３ａ、６３ｂは、それぞれ第１内スリーブ６４及び第２内スリーブ６３の内周の中心軸と直交する平面に形成され、その直角度は、例えば、第１内スリーブ６４及び第２内スリーブ６３の内周の中心軸を法線とする幾何学的な理想平面に対して±０．５度以下、好ましくは±０．２度以下の精度で管理される。
【０１００】
このようにすれば、第１レンズ４２の球面部４２ｂの曲率中心を第１内スリーブ６４の内周の中心軸に容易に一致させることができると共に、第２レンズ４３の球面部４３ｂの曲率中心を第２内スリーブ６３の内周の中心軸に容易に一致させることができる。そして、これら両内スリーブ６３、６４は、共通の収容スリーブ４５の内周に同軸状にそれぞれ嵌合固定されていることから、第１レンズ４２及び第２レンズ４３の各球面部４２ｂ、４３ｂの曲率中心を、収納スリーブ４５の内周の中心軸に容易に一致させることができる。また、第１レンズ４２、第２レンズ４３及びバンドパスフィルタ４４は、第１内スリーブ６４と第２内スリーブ６３とを介して軸方向に連続していることから、第１内スリーブ６４、第２内スリーブ６３及びバンドパスフィルタ４４の軸方向寸法を管理することにより、第１レンズ４２、第２レンズ４３及びバンドパスフィルタ４４のそれぞれの相互間距離を簡易に精度よく設定することができる。
【０１０１】
なお、この第５実施形態に係る光デバイス６１についても、第２毛細管アッセンブリ３３が、毛細管４０の単芯の内孔に１本のみの光ファイバ３８が接着剤で固定される構成であってもよい。
【０１０２】
図７（ａ）は第６実施形態に係る光デバイス７１の概略構成を示す横断平面図であって、図７（ｂ）はその縦断側面図である。なお、第３、５の実施形態に係る光デバイス３１、６１と、実質的に同一の部品及び部分には同一の参照数字を附して、重複する説明を省略する。
【０１０３】
この実施形態の光デバイス７１が、上記の第５実施形態に係る光デバイス６１と相違する点は、レンズアッセンブリ３４の構成にある。詳述すると、第１の相違点は、収容スリーブ４５を軸方向に伸長して、この収容スリーブ４５の内周に、第１内スリーブ６４と、第２内スリーブ６３とを完全に収容した点である。第２の相違点は、第１毛細管アッセンブリ３２の保持スリーブ３７の先端部（一方の端面３７ａ）を、収容スリーブ４５の内周に挿入した状態で、第１内スリーブ６４の一端面６４ａに接着剤で固定すると共に、第２毛細管アッセンブリ３３の保持スリーブ４１の先端部（一方の端面４１ａ）を、収容スリーブ４５の内周に挿入した状態で、第２内スリーブ６３の他端面６３ｂに接着剤で固定した点である。なお、各保持スリーブ３７、４１の外周面と、収容スリーブ４５の内周面との間には、各毛細管アッセンブリ３２、３３とレンズアッセンブリ３４との光学的調芯状態を調整可能な隙間（例えば、０．１２５ｍｍ〜０．２５ｍｍ程度の隙間）が形成されている。また、この実施形態では、各保持スリーブ３７、４１は、固定力を補強、及び／又は、耐候性を更に向上するために、収容スリーブ４５の内周の一部に接着剤で固定されている。
【０１０４】
図８（ａ）は第７実施形態に係る光デバイス８１の概略構成を示す横断平面図であって、図８（ｂ）はその縦断側面図である。なお、第５，６実施形態に係る光デバイス６１、７１と、実質的に同一の部品及び部分には同一の参照数字を附して、重複する説明を省略する。
【０１０５】
この実施形態に係る光デバイス８１が、上記の第５、６の実施形態に係る光デバイス６１、７１と相違する点は、レンズアッセンブリ３４の構成と、このレンズアッセンブリ３４への第１毛細管アッセンブリ３２及び第２毛細管アッセンブリ３３の固定方法とにある。詳述すると、第１の相違点は、第１レンズ４２の平面部４２ａと第２レンズ４３の平面部４３ａとを、収容スリーブ４５の両端から僅かに外方に突出させた点である。そして、第２の相違点は、第１毛細管アッセンブリ３２の保持スリーブ３７の一方の端面３７ａを傾斜端面として第１レンズ４２の傾斜した平面部４２ａに接着剤で固定すると共に、第２毛細管アッセンブリ３３の保持スリーブ４１の一方の端面４１ａを傾斜端面として第２レンズ４３の傾斜した平面部４３ａに接着剤で固定した点である。
【０１０６】
図９（ａ）は第８実施形態に係る光デバイス９１の概略構成を示す横断平面図であって、図９（ｂ）はその縦断側面図である。なお、第６、７実施形態に係る光デバイス７１、８１と、実質的に同一の部品及び部分には同一の参照数字を附して、重複する説明を省略する。
【０１０７】
この実施形態に係る光デバイス９１が、第６、７実施形態に係る光デバイス７１、８１と相違する点は、レンズアッセンブリ３４の構成と、このレンズアッセンブリ３４への第１毛細管アッセンブリ３２及び第２毛細管アッセンブリ３３の固定方法とにある。詳述すると、第１の相違点は、収容スリーブ４５の軸方向寸法を伸長して、第１レンズ４２と、第２レンズ４３とを収容スリーブ４５の内周に完全に収容した点である。そして、第２の相違点は、第１毛細管アッセンブリ３２の保持スリーブ３７の先端部（一方の端面３７ａ）を傾斜端面として、収容スリーブ４５の内周に挿入した状態で、第１レンズ４２の傾斜した平面部４２ａに接着剤で固定すると共に、第２毛細管アッセンブリ３３の保持スリーブ４１の先端部（一方の端面４１ａ）を傾斜面として、収容スリーブ４５の内周に挿入した状態で、第２レンズ４３の傾斜した平面部４３ａに接着剤で固定した点にある。なお、各保持スリーブ３７、４１の外周面と、収容スリーブ４５の内周面との間には、各毛細管アッセンブリ３２、３３とレンズアッセンブリ３４との光学的調芯状態を調整可能な隙間（例えば、０．１２５ｍｍ〜０．２５ｍｍ程度の隙間）が形成されている。また、この実施形態では、各保持スリーブ３７、４１は、固定力を補強、及び／又は、耐候性を更に向上するために、収容スリーブ４５の内周の一部に接着剤で固定されている。
【０１０８】
なお、上記第３及び５〜８実施形態に係る光デバイスは種々のバリエーションが可能であって、例えば、光機能部品として光アイソレータコアを使用した構成としてもよい。また、内周面に大径部と小径部とを有する保持スリーブを、内径が実質的に一定である保持スリーブに変更してもよく、これとは逆に、内径が実質的に一定である保持スリーブを、内周面に大径部と小径部とを有する保持スリーブに変更してもよい。
【図面の簡単な説明】
【０１０９】
【図１】図１（ａ）は、本発明の第１実施形態に係る光デバイスの概略構成を示す横断平面図、図１（ｂ）は、その縦断側面図である。
【図２】本発明の第１実施形態に係る光デバイスの主要部を誇張して示す概略図である。
【図３】図３（ａ）は、本発明の第２実施形態に係る光デバイスの概略構成を示す横断平面図、図３（ｂ）は、その縦断側面図である。
【図４】図４（ａ）は、本発明の第３実施形態に係る光デバイスの概略構成を示す横断平面図、図４（ｂ）は、その縦断側面図である。
【図５】図５（ａ）は、本発明の第４実施形態に係る光デバイスの概略構成を示す横断平面図、図５（ｂ）は、その縦断側面図である。
【図６】図６（ａ）は、本発明の第５実施形態に係る光デバイスの概略構成を示す横断平面図、図６（ｂ）は、その縦断側面図である。
【図７】図７（ａ）は、本発明の第６実施形態に係る光デバイスの概略構成を示す横断平面図、図７（ｂ）は、その縦断側面図である。
【図８】図８（ａ）は、本発明の第７実施形態に係る光デバイスの概略構成を示す横断平面図、図８（ｂ）は、その縦断側面図である。
【図９】図９（ａ）は、本発明の第８実施形態に係る光デバイスの概略構成を示す横断平面図、図９（ｂ）は、その縦断側面図である。
【符号の説明】
【０１１０】
１、２１、３１、５１、６１、７１、８１、９１  光デバイス
２、３２  第１毛細管アッセンブリ
３、３３  第２毛細管アッセンブリ
４、３４  レンズアッセンブリ
５、８、９、３５、３８、３９  光ファイバ
６、１０、１０´、３６、４０、４０´  毛細管
５ａ、８ａ、９ａ、３５ａ、３８ａ、３９ａ  光ファイバの先端面
５ｘ  光ファイバの光軸
６ａ、１０ａ、１０ａ´、３６ａ、４０ａ、４０ａ´  毛細管の先端面
７、１１、３７、４１  保持スリーブ（保持部材）
７ａ、１１ａ、３７ａ、４１ａ  保持スリーブの端面
１２、４２  第１レンズ
１２ａ、４２ａ  第１レンズの平面部
１２ｂ、４２ｂ  第１レンズの球面部
１３、４３  第２レンズ
１３ａ、４３ａ  第２レンズの平面部
１３ｂ、４３ｂ  第２レンズの球面部
１４、４４  バンドパスフィルタ（光機能部品）
１４´、４４´  アイソレータコア（光機能部品）
１５、４５  収容スリーブ（収容部材）
１５ａ、４５ａ  収容部材の一端面
１５ｂ、４５ｂ  収容スリーブの他端面
１６  第１レンズホルダ
１６ａ  第１レンズホルダの貫通孔
１７  第２レンズホルダ
１７ａ  第２レンズホルダの貫通孔
４６  内スリーブ
４６ａ  内スリーブの一端面
４６ｂ  内スリーブの他端面
６３  第２内スリーブ
６３ａ  第２内スリーブの一端面
６３ｂ  第２内スリーブの他端面
６４  第１内スリーブ
６４ａ  第１内スリーブの一端面
６４ｂ  第１内スリーブの他端面
Ａ  曲率中心
Ｂ１  主光線
Δａ  オフセット量
α  傾斜角
Ｌ  直線
【図１】
0005125467.tif 000002
【図２】
0005125467.tif 000003
【図３】
0005125467.tif 000004
【図４】
0005125467.tif 000005
【図５】
0005125467.tif 000006
【図６】
0005125467.tif 000007
【図７】
0005125467.tif 000008
【図８】
0005125467.tif 000009
【図９】
0005125467.tif 000010